(57)【要約】【課題】外部モニタ上で忠実な色合いを再現させるカメラを提供する。【解決手段】本発明によるカメラは、被写体像を撮像する撮像素子と、外部表示装置へ映像信号を出力する映像信号出力手段と、映像信号の色合いを調節する色合い調節手段と、映像信号出力手段から基準信号を出力させ、当該基準信号による映像を表示中の外部表示装置の画面を撮像した撮像素子から出力される画像信号と基準信号とに基づいて、色合い調節手段に色合い調節量を決定させる制御手段とを備える。【選択図】図２
2007281797.tif 000002
【特許請求の範囲】
【請求項１】
被写体像を撮像する撮像素子と、
外部表示装置へ映像信号を出力する映像信号出力手段と、
前記映像信号の色合いを調節する色合い調節手段と、
前記映像信号出力手段から基準信号を出力させ、当該基準信号による映像を表示中の前記外部表示装置の画面を撮像した前記撮像素子から出力される画像信号と前記基準信号とに基づいて、前記色合い調節手段に色合い調節量を決定させる制御手段とを備えることを特徴とするカメラ。
【請求項２】
請求項１に記載のカメラにおいて、
環境光の色成分を検出する色成分検出手段をさらに備え、
前記色合い調節手段は、前記色合い調節量を決定する際に前記色成分検出手段による検出結果を加味することを特徴とするカメラ。
【請求項３】
請求項１に記載のカメラにおいて、
前記色合い調節手段は、前記映像信号出力手段が前記基準信号を出力する際の色合い調節量を所定の調節量とし、前記色合い調節量を決定した後の色合い調節量を当該決定後の調節量とすることを特徴とするカメラ。
【請求項４】
請求項３に記載のカメラにおいて、
前記所定の色合い調節量を異なる複数の外部表示装置に対応させてそれぞれ保持する情報保持手段をさらに備え、
前記色合い調節手段は、前記情報保持手段で保持されている複数の色合い調節量のうち、指示に応じた外部表示装置に対応する調節量を前記映像信号出力手段が前記基準信号を出力する際の色合い調節量とし、前記色合い調節量を決定した後の色合い調節量を当該決定後の調節量とすることを特徴とするカメラ。
【請求項５】
請求項１に記載のカメラにおいて、
前記色合い調節手段は、前記撮像素子から出力される画像信号の中に前記基準信号による映像を表示中の前記外部表示装置の画面に対応する信号が含まれる場合に前記色合い調節量を決定する処理を行うことを特徴とするカメラ。
【請求項６】
請求項１〜５のいずれか一項に記載のカメラにおいて、
前記撮像素子は、前記外部表示装置の画面を撮像する場合の露光時間が所定時間より長く制御されることを特徴とするカメラ。
【請求項７】
請求項１〜６のいずれか一項に記載のカメラにおいて、
前記外部表示装置に異なる映像を表示させる複数の基準信号をそれぞれ保持する基準信号保持手段をさらに備え、
前記制御手段は、前記基準信号保持手段で保持されている基準信号のうち、指示に応じた基準信号を前記映像信号出力手段から出力させることを特徴とするカメラ。
【請求項８】
請求項１に記載のカメラにおいて、
前記基準信号は、前記外部表示装置に無彩色映像またはカラーチャート映像を表示させることを特徴とするカメラ。
【請求項９】
請求項８に記載のカメラにおいて、
前記基準信号は、所定の図形を含む映像を前記外部表示装置に表示させることを特徴とするカメラ。
【請求項１０】
請求項９に記載のカメラにおいて、
前記所定の図形は、フォーカス検出用チャート、アスペクト比検出用チャート、および照合用チャートの少なくとも１つを含むことを特徴とするカメラ。
【発明の詳細な説明】
【技術分野】
【０００１】
本発明は、外部モニタへ映像信号を出力可能なカメラに関する。
【背景技術】
【０００２】
投影像の色合いを補正する投影装置が知られている（特許文献１参照）。特許文献１によれば、あらかじめ環境光の影響を受けない暗室環境でキャリブレーション画像を投影し、当該投影像をＲＧＢセンサによって測定した測定データと、実際に投影装置が使用される視環境下で上記キャリブレーション画像を投影し、当該投影像をＲＧＢセンサによって測定した測定データとに基づいて、視環境下における色合いや階調の補正値が決定される。
【０００３】
【特許文献１】特許第３７１９４２４号公報
【発明の開示】
【発明が解決しようとする課題】
【０００４】
上記技術を外部モニタに適用する場合、外部モニタ毎に暗室環境における測定データを用意しなくてはならず、手間である。
【課題を解決するための手段】
【０００５】
本発明によるカメラは、被写体像を撮像する撮像素子と、外部表示装置へ映像信号を出力する映像信号出力手段と、映像信号の色合いを調節する色合い調節手段と、映像信号出力手段から基準信号を出力させ、当該基準信号による映像を表示中の外部表示装置の画面を撮像した撮像素子から出力される画像信号と基準信号とに基づいて、色合い調節手段に色合い調節量を決定させる制御手段とを備えることを特徴とする。
請求項１に記載のカメラはさらに、環境光の色成分を検出する色成分検出手段を備えてもよい。この場合の色合い調節手段は、色合い調節量を決定する際に色成分検出手段による検出結果を加味することもできる。
請求項１に記載のカメラにおいて、色合い調節手段は、映像信号出力手段が基準信号を出力する際の色合い調節量を所定の調節量とし、色合い調節量を決定した後の色合い調節量を当該決定後の調節量とすることが好ましい。
請求項３に記載のカメラはさらに、所定の色合い調節量を異なる複数の外部表示装置に対応させてそれぞれ保持する情報保持手段を備えてもよい。この場合の色合い調節手段は、情報保持手段で保持されている複数の色合い調節量のうち、指示に応じた外部表示装置に対応する調節量を映像信号出力手段が基準信号を出力する際の色合い調節量とし、色合い調節量を決定した後の色合い調節量を当該決定後の調節量とすることが好ましい。
請求項１に記載のカメラにおいて、色合い調節手段は、撮像素子から出力される画像信号の中に基準信号による映像を表示中の外部表示装置の画面に対応する信号が含まれる場合に色合い調節量を決定する処理を行うことが好ましい。
請求項１〜５のいずれか一項に記載のカメラにおいて、撮像素子は、外部表示装置の画面を撮像する場合の露光時間が所定時間より長く制御されることが好ましい。
請求項１〜６のいずれか一項に記載のカメラはさらに、外部表示装置に異なる映像を表示させる複数の基準信号をそれぞれ保持する基準信号保持手段を備えてもよい。この場合の制御手段は、基準信号保持手段で保持されている基準信号のうち、指示に応じた基準信号を映像信号出力手段から出力させることが好ましい。
請求項１に記載のカメラにおいて、基準信号は、外部表示装置に無彩色映像またはカラーチャート映像を表示させることが好ましい。
請求項８に記載のカメラにおいて、基準信号は、所定の図形を含む映像を外部表示装置に表示させることが好ましい。
請求項９に記載のカメラにおいて、所定の図形は、フォーカス検出用チャート、アスペクト比検出用チャート、および照合用チャートの少なくとも１つを含むことが好ましい。
【発明の効果】
【０００６】
本発明によるカメラでは、簡単に外部モニタ上で忠実な色合いを再現させることができる。
【発明を実施するための最良の形態】
【０００７】
以下、図面を参照して本発明を実施するための最良の形態について説明する。図１は、本発明の一実施の形態による電子カメラシステムを説明する図である。電子カメラシステムは、電子カメラ１００と表示装置（以下外部モニタと呼ぶ）２００とで構成される。外部モニタ２００は、液晶表示パネル、プラズマ表示パネル、ＣＲＴもしくは背面投射型表示器などの映像表示部材を備え、電子カメラ１００などの外部機器から供給される信号による再生映像を表示する。外部モニタ２００と電子カメラ１００との間の接続は、図１のようにケーブルを用いた有線接続でも、不図示の無線端末を介する無線接続でもよい。
【０００８】
図２は、電子カメラ１００の構成を説明するブロック図である。図２において電子カメラ１００は、情報管理部１と、操作入力部２と、モニタ種類設定部３と、警告表示部４と、撮影制御部５と、シャッタ８と、撮像素子９と、画像処理部１０と、画像記録部１１と、基準画像格納部１２と、色バランス調整部１３と、色調整限界値記憶部１４と、色調整初期値記憶部１５と、内蔵表示モニタ１６と、外部モニタ出力部１７とを有し、絞り７を備える撮影レンズ６と、記録媒体１８とが着脱可能に構成される。
【０００９】
情報管理部１は、操作入力部２から入力される操作信号や、モニタ種類設定部３から入力される情報などを管理する。情報管理部１はさらに、撮影制御部５へ出力するシャッタ８や絞り７および撮像素子９の制御情報、警告表示部４へ出力する警告指示情報、画像処理部１０へ出力する画像処理の指示情報、および画像記録部１１へ出力する画像記録処理の指示情報などを管理する。
【００１０】
操作入力部２は、不図示のモード切替操作部材やレリーズ操作部材などを含み、各操作に応じた操作信号を情報管理部１へ送出する。モード切替操作信号は、電子カメラ１００が撮影を行う撮影モード、電子カメラ１００が内蔵表示モニタ１６に再生映像を表示させる内蔵モニタ再生モード、および電子カメラ１００が外部モニタ２００に再生映像を表示させる外部モニタ再生モード間のモード切替を指示する信号である。レリーズ操作信号は、電子カメラ１００に撮影を指示するための信号である。
【００１１】
モニタ種類設定部３は、設定操作に応じてモニタ種類（たとえばモデル名）を示す信号を発生し、情報管理部１へ送出する。警告表示部４は、たとえばＬＥＤによって構成され、情報管理部１からの指示によって点灯／消灯が制御される。なお、ＬＥＤの代わりに、内蔵表示モニタ１６または外部モニタ２００の表示画面内に警告を示すメッセージやマークなどを表示させる構成としてもよい。
【００１２】
撮影制御部５は、情報管理部１から取得した制御情報に基づいて所定の露出演算を行って制御露出を算出し、この露出を得るための制御パラメータを決定し、決定した制御パラメータで絞り７、シャッタ８および撮像素子９をそれぞれ制御する。
【００１３】
画像処理部１０は、撮影モード時に撮像素子９から出力される画像信号に対してホワイトバランス処理や画素補間処理などを施して撮影画像データを生成し、生成した撮影画像データを画像記録部１１へ送出する。画像処理部１０はさらに、内蔵モニタ再生モードおよび外部モニタ再生モード時に画像記録部１１が記録媒体１８から読出した撮影画像データ、または画像処理部１０が基準画像格納部１２から読出した基準画像データを色バランス調整部１３へ送出する。
【００１４】
記録媒体１８は、たとえば、メモリカードなどのデータストレージ部材によって構成される。画像記録部１１は、情報管理部１の指示により、記録媒体１８に撮影画像のデータを保存したり、記録媒体１８に保存しているデータを読出して画像処理部１０へ送出することが可能である。
【００１５】
基準画像格納部１２は、外部モニタ２００に表示させるための基準画像（たとえば、グレーの無彩色画像）のデータを格納し、画像処理部１０によって読出し可能に構成される。
【００１６】
色バランス調整部１３は、外部モニタ再生モード時に画像処理部１０から送出されたデータ（撮影画像データまたは基準画像データ）に所定の色バランス調整を施し、色バランス調整後のデータを外部モニタ出力部１７へ送出する。色バランス調整処理の詳細については後述する。色バランス調整部１３は、内蔵モニタ再生モード時には画像処理部１０から送出された撮影画像データに色バランス調整を施すことなく表示信号を生成し、生成した表示信号を内蔵表示モニタ１６へ送出する。
【００１７】
内蔵表示モニタ１６は液晶表示素子などで構成され、電子カメラ１００による撮影画像、電子カメラ１００の操作メニューおよび設定情報などを表示可能に構成される。
【００１８】
外部モニタ出力部１７は、色バランス調整後のデータを用いて外部モニタ２００用の表示信号（たとえば、ＲＧＢ信号）を生成し、生成した表示信号を外部モニタ２００へ送出する。
【００１９】
色調整限界値記憶部１４は、色バランス調整部１３によって算出される各色成分（たとえば、Ｒ色、Ｇ色、Ｂ色）に対する色バランス調整値が適切な範囲に含まれるか否かを判定するための判定閾値を示すデータを格納し、色バランス調整部１３によって読出し可能に構成される。
【００２０】
色調整初期値記憶部１５は、あらかじめモニタ種類に応じて各色成分（たとえば、Ｒ色、Ｇ色、Ｂ色）の色バランス調整の初期値を格納する。格納されている初期値は、色バランス調整部１３によって読出し可能に構成される。色バランス調整部１３は、モニタ種類の情報を情報管理部１および画像処理部１０を介して取得し、取得したモニタ種類に対応する初期値を色調整初期値記憶部１５から読出す。
【００２１】
本発明は、電子カメラ１００が行う処理の流れについて、図３〜図６のフローチャートを参照して説明する。
【００２２】
＜メイン処理＞
図３は、情報管理部１が行うメイン処理のフローチャートである。図３によるプログラムは、電子カメラ１００のメインスイッチオン時、および後述するタイマ切れ（ステップＳ１１３）による終了後にレリーズ操作信号が情報管理部１へ入力されると起動する。ステップＳ１０１において、情報管理部１はカメラ内の情報を初期化してステップＳ１０２へ進む。
【００２３】
ステップＳ１０２において、情報管理部１は、不図示の測光センサの検出信号を用いて被写体輝度ＢＶを算出し、ステップＳ１０３へ進む。ステップＳ１０３において、情報管理部１はＢＶ値を用いて露出制御値を算出し、ステップＳ１０４へ進む。ステップＳ１０４において、情報管理部１は測距処理を行ってステップＳ１０５へ進む。ステップＳ１０５において、情報管理部１は撮影制御部５へ指示を送り、測距結果に応じて撮影レンズ６のフォーカスレンズ（不図示）を駆動させてステップＳ１０６へ進む。
【００２４】
ステップＳ１０６において、情報管理部１は、レリーズ操作されたか否かを判定する。情報管理部１は、レリーズ操作信号に応じてセットするレリーズフラグがセットされている場合にステップＳ１０６を肯定判定してステップＳ１０７へ進み、レリーズフラグがセットされていない場合にはステップＳ１０６を否定判定し、ステップＳ１１１へ進む。
【００２５】
ステップＳ１０７において、情報管理部１は撮影制御部５へ指示を送り、撮像素子９による画像取込みを行わせる。具体的には、絞り７を制御絞り値まで絞り込ませ、撮像素子９に制御シャッタ秒時に対応する時間の電荷蓄積を行わせる。情報管理部１は、撮像素子９からの画像信号が画像処理部１０内のバッファメモリ（不図示）に格納されるとステップＳ１０８へ進む。ステップＳ１０８において、情報管理部１は画像処理部１０へ指示を送り、バッファメモリ内の画像信号に所定の画像処理を行わせてステップＳ１０９へ進む。
【００２６】
ステップＳ１０９において、情報管理部１は画像記録部１１へ指示を送り、画像処理された撮影画像のデータを記録媒体１８に記録（保存）させてステップＳ１１０へ進む。ステップＳ１１０において、情報管理部１はレリーズフラグをクリアしてステップＳ１１１へ進む。
【００２７】
ステップＳ１１１において、情報管理部１は内蔵モニタ再生モードか否かを判定する。情報管理部１は、操作入力部２から内蔵モニタ再生モードへの切替信号が入力された場合にステップＳ１１１を肯定判定してステップＳ１１４へ進み、内蔵モニタ再生モードへの切替信号が入力されていない場合にはステップＳ１１１を否定判定し、ステップＳ１１２へ進む。
【００２８】
ステップＳ１１２において、情報管理部１は外部モニタ再生モードか否かを判定する。情報管理部１は、操作入力部２から外部モニタ再生モードへの切替信号が入力された場合にステップＳ１１２を肯定判定してステップＳ１１５へ進み、外部モニタ再生モードへの切替信号が入力されていない場合にはステップＳ１１２を否定判定し、ステップＳ１１３へ進む。
【００２９】
ステップＳ１１３において、情報管理部１は、タイマー切れか否かを判定する。情報管理部１は、タイムアップ時にステップＳ１１３を肯定判定して図３による処理を終了する。一方、情報管理部１は、タイムアップしていない場合にはステップＳ１１３を否定判定してステップＳ１０２へ戻り、上記処理を繰り返す。
【００３０】
ステップＳ１１４において、情報管理部１は、画像処理部１０および色バランス調整部１３に指示を送り、撮影画像データによる再生映像を内蔵表示モニタ１６に表示させてステップＳ１１１へ進む。
【００３１】
ステップＳ１１５において、情報管理部１は、画像処理部１０および色バランス調整部１３に指示を送り、撮影画像データによる再生映像を外部モニタ２００に表示させるための信号を外部モニタ出力部１７から送出させてステップＳ１１２へ進む。
【００３２】
＜外部モニタ表示処理＞
外部モニタ表示処理（ステップＳ１１５）の詳細について、図４のフローチャートを参照して説明する。ステップＳ１６１において、情報管理部１はモニタ設定情報（モニタ種類を示す情報）を取得し、取得情報を色バランス調整部１３へ送出してステップＳ１６２へ進む。
【００３３】
ステップＳ１６２において、情報管理部１は色バランス調整部１３へ指示を送り、色バランス調整値を初期化させてステップＳ１６３へ進む。具体的には、取得したモニタ種類に対応する初期値（adjRi,adjGi,adjBi）を色調整初期値記憶部１５から読出し、色バランス調整値（adjR,adjG,adjB）にセットさせる。なお、adjRi,adjGi,adjBiはそれぞれＲ色成分の調整初期値、Ｇ色成分の調整初期値、Ｂ色成分の調整初期値である。また、adjR,adjG,adjBはそれぞれＲ色成分の調整値、Ｇ色成分の調整値、Ｂ色成分の調整値である。取得したモニタ種類に対応する初期値（adjRi,adjGi,adjBi）が色調整初期値記憶部１５に格納されていない場合は、調整無しを示す(1,1,1)が色バランス調整値（adjR,adjG,adjB）にセットさせる。
【００３４】
ステップＳ１６３において、情報管理部１は画像処理部１０へ指示を送り、基準画像（たとえば、グレーの無彩色画像）のデータを取得させてステップＳ１６４へ進む。基準画像データは、基準画像格納部１２に格納されている。ステップＳ１６４において、情報管理部１は色バランス調整部１３へ指示を送り、取得された基準画像データを用いて再生画像データを生成させてステップＳ１６５へ進む。
【００３５】
ステップＳ１６５において、情報管理部１は色バランス調整部１３へ指示を送り、色バランス調整値（adjR,adjG,adjB）による色バランス調整を再生画像データに対して行わせてステップＳ１６６へ進む。ステップＳ１６６において、情報管理部１は外部モニタ出力部１７へ画像出力を指示する。外部モニタ出力部１７は、色バランス調整部１３による色バランス調整後の再生画像データを用いて画像表示に必要な表示信号を生成し、生成した表示信号（基準信号）を外部モニタ２００へ出力する。これにより、調整初期値を用いて色バランス調整された基準画像の再生映像が、外部モニタ２００に表示される。
【００３６】
ステップＳ１６６Ａにおいて、情報管理部１は、レリーズ操作されたか否かを判定する。情報管理部１は、レリーズ操作信号に応じてセットするレリーズフラグがセットされている場合にステップＳ１６６Ａを肯定判定してステップＳ１６６Ｂへ進み、レリーズフラグがセットされていない場合にはステップＳ１６６Ａを否定判定し、当該判定処理を繰り返す。ステップＳ１６６Ｂにおいて、情報管理部１は、レリーズフラグをクリアしてステップＳ１６７へ進む。
【００３７】
ステップＳ１６７において、情報管理部１は、不図示の測光センサの検出信号を用いて被写体（この場合は外部モニタ２００の表示画面）輝度ＢＶを算出し、ステップＳ１６８へ進む。ステップＳ１６８において、情報管理部１はＢＶ値を用いて露出制御値を算出し、ステップＳ１６９へ進む。
【００３８】
ステップＳ１６９において、情報管理部１はブラウン管設定か否かを判定する。情報管理部１は取得したモニタ種類の情報が示すモデル名がＣＲＴ搭載タイプの場合にステップＳ１６９を肯定判定してステップＳ１７０へ進み、モデル名がＣＲＴ非搭載タイプの場合にはステップＳ１６９を否定判定してステップＳ１７３へ進む。
【００３９】
ステップＳ１７０において、情報管理部１は、シャッタ速度が１／３０秒より短いか否かを判定する。情報管理部１は、制御シャッタ秒時が１／３０秒より短い場合にステップＳ１７０を肯定判定してステップＳ１７１へ進み、制御シャッタ秒時が１／３０秒より短かくない場合にはステップＳ１７０を否定判定し、ステップＳ１７３へ進む。
【００４０】
ステップＳ１７１において、情報管理部１は、制御シャッタ秒時を１／３０にセットしてステップＳ１７２へ進む。ステップＳ１７２において、情報管理部１は、シャッタ秒時の変更分を相殺するように露出制御値を補正してステップＳ１７２Ａへ進む。具体的には、絞り値および感度（撮像素子９に設定されるISO感度）の少なくとも一方を変更する。ステップＳ１７２Ａにおいて、情報管理部１は、測距処理と、測距結果に応じた撮影レンズ６のフォーカスレンズ（不図示）の駆動と、当該フォーカスレンズを合焦位置から所定量外すピントずらしとを行い、ステップＳ１７３へ進む。ピントずらしを行うことで、モアレを防止できる。
【００４１】
ステップＳ１７３において、情報管理部１は撮影制御部５へ指示を送り、撮像素子９による画像取込みを行わせる。具体的には、絞り７を制御絞り値まで絞り込ませ、撮像素子９に制御シャッタ秒時に対応する時間の電荷蓄積を行わせる。情報管理部１は、撮像素子９からの画像信号が画像処理部１０内のバッファメモリに格納されるとステップＳ１７４へ進む。ステップＳ１７４において、情報管理部１は画像処理部１０へ指示を送り、バッファメモリ内の画像信号に所定の画像処理を行わせてステップＳ１７５へ進む。
【００４２】
ステップＳ１７５において、情報管理部１は色バランス調整部１３へ指示を送り、画像処理部１０から画像処理後の撮影画像（この場合は外部モニタ２００に表示中の再生映像を撮影した画像）のデータを取得させてステップＳ１７６へ進む。これにより、色バランス調整部１３が色合い調節用の撮影画像データを取得する。
【００４３】
ステップＳ１７６において、情報管理部１は色バランス調整部１３へ指示を送り、色バランス調整値を算出させてステップＳ１７７へ進む。色バランス調整値の算出（色合い調節値の決定）処理の詳細については後述する。
【００４４】
ステップＳ１７７において、情報管理部１は、色バランス調整値が限界値以上か否かを判定する。情報管理部１は、色バランス調整部１３で算出された色バランス調整値が色調整限界値記憶部１４に格納されている判定閾値の範囲から外れている場合にステップＳ１７７を肯定判定してステップＳ１８４へ進み、算出された色バランス調整値が上記判定閾値の範囲内である場合にはステップＳ１７７を否定判定し、ステップＳ１７８へ進む。
【００４５】
ステップＳ１７８において、情報管理部１は画像処理部１０へ指示を送り、撮影画像（記録媒体１８に記録されている撮影画像）のデータを取得させてステップＳ１７９へ進む。ステップＳ１７９において、情報管理部１は色バランス調整部１３へ指示を送り、取得された撮影画像データを用いて再生画像データを生成させてステップＳ１８０へ進む。
【００４６】
ステップＳ１８０において、情報管理部１は色バランス調整部１３へ指示を送り、ステップＳ１７６で決定した色バランス調整値（adjR,adjG,adjB）による色バランス調整を再生画像のデータに対して行わせてステップＳ１８１へ進む。ステップＳ１８１において、情報管理部１は外部モニタ出力部１７へ画像出力を指示する。外部モニタ出力部１７は、色バランス調整部１３による色バランス調整後の再生画像データを用いて画像表示に必要な表示信号を生成し、生成した表示信号を外部モニタ２００へ出力する。これにより、色バランス調整された撮影画像の再生映像が、外部モニタ２００に表示される。
【００４７】
ステップＳ１８２において、情報管理部１は外部モニタ再生モード終了か否かを判定する。情報管理部１は、操作入力部２から外部モニタ再生モードから他モードへ切替る信号が入力された場合にステップＳ１８２を肯定判定して図４による処理を終了し、他モードへの切替信号が入力されていない場合にはステップＳ１８２を否定判定し、ステップＳ１８３へ進む。
【００４８】
ステップＳ１８３において、情報管理部１は再生画像切替え操作されたか否かを判定する。情報管理部１は、操作入力部２から画像切替えを指示する操作信号が入力された場合にステップＳ１８３を肯定判定してステップＳ１７８へ戻り、画像切替えを指示する操作信号が入力されない場合にはステップＳ１８３を否定判定し、ステップＳ１８１へ戻る。ステップＳ１７８へ戻る場合は、画像処理部１０に他の撮影画像（記録媒体１８に記録されている撮影画像のうち、画像切替え指示に対応する撮影画像）のデータを取得させる。ステップＳ１８１へ戻る場合は、外部モニタ２００に表示中の再生映像の表示が継続される。
【００４９】
ステップＳ１８４において、情報管理部１は色バランス調整部１３へ指示を送り、色バランス調整値を初期化させてステップＳ１８５へ進む。初期化はステップＳ１６２と同様に、取得したモニタ種類に対応する初期値（adjRi,adjGi,adjBi）を色調整初期値記憶部１５から読出し、色バランス調整値（adjR,adjG,adjB）にセットさせる。
【００５０】
ステップＳ１８５において、情報管理部１は、警告表示部４に点灯表示を指示してステップＳ１７８へ進む。この場合には後続のステップＳ１８０において色調整初期値による色バランス調整が行われるため、色バランス調整が適切に行われていない（ステップＳ１７６で決定した色バランス調整値による色バランス調整と異なる）ことが警告表示部４の点灯によってユーザーに報知される。
【００５１】
＜色バランス調整値算出処理＞
色バランス調整値算出処理（ステップＳ１７６）の詳細について、図５のフローチャートを参照して説明する。ステップＳ２０１において、色バランス調整部１３は、色合い調節用の画像（外部モニタ２００に表示中の再生映像（基準画像）を撮影した画像）の参照範囲における注目画素位置を示すカウンタを初期化してステップＳ２０２へ進む。参照範囲は、色合い調節用画像の一部であり、色バランス調整値算出処理に用いる領域をいう。本実施形態では、色合い調節用画像の略中央部を参照範囲として定め、この参照範囲に含まれる画素位置を以下のように表す。カウンタの初期化は、注目画素位置(i,j)を(refXstart,refYstart)にするものである。
refXstart:参照範囲のＸ方向開始点座標
refYstart:参照範囲のＹ方向開始点座標
refXend:参照範囲のＸ方向終点座標
refYend:参照範囲のＹ方向終点座標
【００５２】
ステップＳ２０２において、色バランス調整部１３は、上記参照範囲内における各色毎の積分値をクリアしてステップＳ２０３へ進む。積分値データは以下のように表す。積分値のクリアは、各積分値sumR,sumG,sumBをそれぞれ０にリセットするものである。
sumR:参照範囲内のＲデータR(i,j)の合計
sumG:参照範囲内のＧデータG(i,j)の合計
sumB:参照範囲内のＢデータB(i,j)の合計
【００５３】
ステップＳ２０３において、色バランス調整部１３は、赤積分値sumR＝sumR＋R(i,j)を算出してステップＳ２０４へ進む。ステップＳ２０４において、色バランス調整部１３は、緑積分値sumG＝sumG＋G(i,j)を算出してステップＳ２０５へ進む。ステップＳ２０５において、色バランス調整部１３は、青積分値sumB＝sumB＋B(i,j)を算出してステップＳ２０６へ進む。
【００５４】
ステップＳ２０６において、色バランス調整部１３は、注目画素位置をＹ方向に１つ進めてステップＳ２０７へ進む。ステップＳ２０７において、色バランス調整部１３は、j≦refYendが成立するか否かを判定する。色バランス調整部１３は、前式が成立する場合にステップＳ２０７を肯定判定してステップＳ２０３へ戻り、前式が成立しない場合にはステップＳ２０７を否定判定し、ステップＳ２０８へ進む。
【００５５】
ステップＳ２０８において、色バランス調整部１３は、注目画素位置をＸ方向に１つ進めるとともに、Ｙ方向について開始点へ戻してステップＳ２０９へ進む。ステップＳ２０９において、色バランス調整部１３は、i≦refXendが成立するか否かを判定する。色バランス調整部１３は、前式が成立する場合にステップＳ２０９を肯定判定してステップＳ２０３へ戻り、前式が成立しない場合にはステップＳ２０９を否定判定し、ステップＳ２１０へ進む。
【００５６】
ステップＳ２０３〜ステップＳ２０９の処理により、色合い調節用画像の参照範囲内における各色についての積分値（sumR,sumG,sumB）が、それぞれ算出される。
【００５７】
ステップＳ２１０において、色バランス調整部１３は、赤調整値adjR＝regR×adjRi／sumRを算出してステップＳ２１１へ進む。ただし、regRはＲ成分の調整値を正規化するための係数である。
【００５８】
ステップＳ２１１において、色バランス調整部１３は、緑調整値adjG＝regG×adjGi／sumGを算出してステップＳ２１２へ進む。ただし、regGはＧ成分の調整値を正規化するための係数である。
【００５９】
ステップＳ２１２において、色バランス調整部１３は、青調整値adjB＝regB×adjBi／sumBを算出して図５による処理を終了する。ただし、regBはＢ成分の調整値を正規化するための係数である。色バランス調整部１３は、ステップＳ２１０〜ステップＳ２１２の算出結果を色バランス調整値（adjR,adjG,adjB）とする。
【００６０】
＜色バランス調整処理＞
色バランス調整処理（ステップＳ１６５，ステップＳ１８０）の詳細について、図６のフローチャートを参照して説明する。ステップＳ２２１において、色バランス調整部１３は、カウンタを初期化してステップＳ２２２へ進む。この場合のカウンタは、再生画像データの全域（全画素）について色バランス調整を施す際の注目画素位置を示すカウンタである。カウンタの初期化は、注目画素位置(i,j)を(0,0)にするものである。
0:再生画像のＸ方向開始点座標
0:再生画像のＹ方向開始点座標
X:再生画像のＸ方向終点座標
Y:再生画像のＹ方向終点座標
【００６１】
ステップＳ２２２において、色バランス調整部１３は、色バランス調整後のＲ成分の外部出力データoutR［i］［j］＝playR［i］［j］×adjRを算出してステップＳ２２３へ進む。ただし、色調節前の再生画像データのＲ成分をplayR［i］［j］とし、色調節後の外部出力データのＲ成分をoutR［i］［j］とする。
【００６２】
ステップＳ２２３において、色バランス調整部１３は、色バランス調整後のＧ成分の外部出力データoutG［i］［j］＝playG［i］［j］×adjGを算出してステップＳ２２４へ進む。ただし、色調節前の再生画像データのＧ成分をplayG［i］［j］とし、色調節後の外部出力データのＧ成分をoutG［i］［j］とする。
【００６３】
ステップＳ２２４において、色バランス調整部１３は、色バランス調整後のＢ成分の外部出力データoutB［i］［j］＝playB［i］［j］×adjBを算出してステップＳ２２５へ進む。ただし、色調節前の再生画像データのＢ成分をplayB［i］［j］とし、色調節後の外部出力データのＢ成分をoutB［i］［j］とする。
【００６４】
ステップＳ２２５において、色バランス調整部１３は、注目画素位置をＹ方向に１つ進めてステップＳ２２６へ進む。ステップＳ２２６において、色バランス調整部１３は、j≦Yが成立するか否かを判定する。色バランス調整部１３は、前式が成立する場合にステップＳ２２６を肯定判定してステップＳ２２２へ戻り、前式が成立しない場合にはステップＳ２２６を否定判定し、ステップＳ２２７へ進む。
【００６５】
ステップＳ２２７において、色バランス調整部１３は、注目画素位置をＸ方向に１つ進めるとともに、Ｙ方向について開始点へ戻してステップＳ２２８へ進む。ステップＳ２２８において、色バランス調整部１３は、i≦Xが成立するか否かを判定する。色バランス調整部１３は、前式が成立する場合にステップＳ２２８を肯定判定してステップＳ２２２へ戻り、前式が成立しない場合にはステップＳ２２８を否定判定し、図６による処理を終了する。
【００６６】
ステップＳ２２２〜ステップＳ２２８の処理により、再生画像データの全画素(playR,playG,playB)に対応して色合い調節後のデータ(outR,outG,outB)が、それぞれ算出される。
【００６７】
以上説明した色バランス調整値の算出処理は、色合い調節用の画像（外部モニタ２００に表示中の再生映像（基準画像）を撮影した画像）の参照範囲におけるデータのＲＧＢ成分比率が、略１：略１：略１（すなわち無彩色データ）の場合に実行する。無彩色でないと判定される場合には、情報管理部１が警告表示部４に点灯表示させることにより、外部モニタ表示処理が適切に行われていないことをユーザーに報知するのが好ましい。
【００６８】
以上説明した実施形態によれば、次の作用効果が得られる。
（１）電子カメラ１００は、グレーの無彩色（ＲＧＢ成分比率が１：１：１）画像を表示させる信号を外部モニタ出力部１７から基準信号として外部モニタ２００へ出力し、外部モニタ２００に表示中の映像を撮影した場合の撮影画像（色合い調節用画像）信号を用いてＲＧＢ各成分についての色調整値（色合い調節量）を決定するようにした。この結果、外部モニタ２００の種類にかかわらず、簡単に、忠実な色合いを再現できる。
【００６９】
（２）一様な無彩色画像に対応する信号を基準信号としたので、色調整値の算出が容易である。すなわち、色合い調節用画像のうち信号値が低い色成分について調整値を大きくし、信号値が高い色成分について調整値を小さくすればよい。また、色合い調節用画像の略中央の参照範囲に含まれる画素信号のみを用いて色調整値を算出したので、色合い調節用画像の全域を用いて算出する場合に比べて少ない処理量に抑えられる。
【００７０】
（３）外部モニタ２００の種類に応じて異なる調整初期値を色調整初期値記憶部１５に格納可能に構成したので、外部モニタ２００のモデルごとに表示される色合いが異なる場合でも、色調整値を決定する前の表示の色合いの差異を少なくすることができる。
【００７１】
（４）外部モニタ２００に表示中の映像を撮影する際のシャッタ秒時を１／３０にしたので、外部モニタ２００がブラウン管タイプの場合、掃引速度に起因する露光ムラの影響を防止できる。
【００７２】
（変形例１）
色調整値（色合い調節量）を決定した場合に、決定した色バランス調整値（adjR,adjG,adjB）を、モニタ設定情報（モニタ種類を示す情報）に対応付けて保存するように構成してもよい。この場合の情報管理部１は、色バランス調整値（adjR,adjG,adjB）を、たとえば、色調整初期値記憶部１５に記憶させる。色バランス調整値（adjR,adjG,adjB）を外部モニタ２００に対応づけて保存しておくことで、同一の外部モニタ２００を同一環境（同じ室内で、同じ照明条件で、外部モニタ２００に対する設定内容も同じ）で使用する場合には、次回の色バランス調整値算出処理を省略できる。具体的には、図４のステップＳ１６１でモニタ設定情報を取得したら、保存しておいた色バランス調整値（adjR,adjG,adjB）を読み出した上でステップＳ１７８へ進む。
【００７３】
図７は、変形例１を行う場合のモニタ種類設定部３の構成例を説明する図である。図７(a)は内蔵表示モニタ１６に表示されるメニュー画面であり、「外部出力設定」についての表示例である。情報管理部１は、図７(a)の画面を表示中に操作入力部２から「モニタ種類選択」を選択する操作信号が入力されると、図７(a)の画面に代えて図７(b)の画面を内蔵表示モニタ１６に表示させる。図７(b)の画面上でカーソル選択されているモニタ（この場合は「プラズマ」）が設定モニタに対応する。
【００７４】
情報管理部１は、図７(b)の画面を表示中に操作入力部２から「プラズマ」を選択する操作信号がさらに入力されると、図７(b)の画面に代えて図７(c)の画面を内蔵表示モニタ１６に表示させる。図７(c)の画面上で「はい」がカーソル選択される場合、情報管理部１および色バランス調整部１３は、上述した図４のフローチャートどおりに処理を行う。一方、図７(c)の画面上で「いいえ」がカーソル選択される場合、情報管理部１および色バランス調整部１３は、上述した変形例１の処理を行う。
【００７５】
（変形例２）
測光処理（ステップＳ１６７）に加えて、環境光の色成分を検出するように構成してもよい。この場合の色バランス調整部１３は、環境光についての色成分検出結果を色調整値（adjR,adjG,adjB）に反映させる。たとえば、環境光検出用センサを備え、センサの検出出力においてＧ成分の信号値がＲ成分、Ｂ成分に比べて高い場合は、外部モニタ２００に表示中の映像を撮影した場合の撮影画像（色合い調節用画像）信号にＧ成分が多く含まれることを許容する。
【００７６】
（変形例３）
外部モニタ２００による再生映像が環境光に与える影響を考慮して色バランス調整値（adjR,adjG,adjB）を決定してもよい。電子カメラ１００は、グレー画像（図８(a)）と別に、白画像（図８(b)）と黒画像（図８(c)）の表示信号を外部モニタ出力部１７から基準信号としてそれぞれ出力する。白画像表示時と黒画像表示時における室内の明るさを環境光センサでそれぞれ検出し、両検出値の差分に応じて色バランス調整値（adjR,adjG,adjB）を補正する。差分と補正係数との関係は、あらかじめテーブル化して色バランス調整部１３内に記憶させておくのが好ましい。
【００７７】
（変形例４）
基準信号にフォーカス調節用のチャートを含めてもよい。電子カメラ１００は、フォーカス調節用チャートを含む無彩色画像（図９(a)）の表示信号を外部モニタ出力部１７から基準信号として出力し、外部モニタ２００による再生映像を撮像しながらオートフォーカス（ＡＦ）調節を行う。具体的には、撮像素子９で撮像された画像信号についての高周波数成分の積算値（いわゆる焦点評価値）を最大にするように、撮影レンズ６のフォーカスレンズを駆動してフォーカス調節を行う。
【００７８】
（変形例５）
基準信号にアスペクト比検出用のチャートを含めてもよい。電子カメラ１００は、アスペクト比検出用チャートを含む無彩色画像（図９(b)）の表示信号を外部モニタ出力部１７から基準信号として出力し、外部モニタ２００による再生映像を撮像しながらアスペクト比検出を行う。具体的には、基準信号に正方形チャートが含まれる場合に撮像素子９で撮像された画像信号に長方形チャートが含まれるとき、アスペクト比が異なると判定する。外部モニタ出力部１７がアスペクト比変換機能を備えている場合には、外部モニタ出力部１７に基準信号のアスペクト比を変換させることによって、外部モニタ２００に正しいアスペクト比で再生映像を表示させることができる。
【００７９】
また、上記アスペクト比検出用チャートは電子カメラ１００による撮影方向が適切か否かの判定にも使用できる。電子カメラ１００は、撮像素子９で撮像された画像信号に台形チャートが含まれるとき、撮影方向が適切でないと判定する。この場合には、警告表示部４に点灯表示させることによって、撮影方向が適切でないことをユーザーに報知できる。
【００８０】
（変形例６）
変形例４および変形例５の場合であって、撮影レンズ６にズーム光学系が含まれている場合には、外部モニタ２００に表示中の再生映像（基準画像）を撮影した画像の中に各チャートが十分な大きさで含まれるように、撮影レンズ６のズーム光学系を駆動させて撮影画角調節を行うように構成するのが好ましい。
【００８１】
（変形例７）
基準信号にカラーチャートを含めてもよい。電子カメラ１００は、カラーチャートを含む画像（図９(c)）の表示信号を外部モニタ出力部１７から基準信号として出力する。この場合の電子カメラ１００は、各色の領域ごとに色バランス調整値（adjR,adjG,adjB）を決定する。
（変形例８）
基準信号に照合用チャートを含めてもよい。電子カメラ１００は、照合用チャートを含む無彩色画像の表示信号を外部モニタ出力部１７から基準信号として出力する。この場合の電子カメラ１００は、色合い調節用画像のうち照合用チャートで示される領域を参照範囲とし、色バランス調整値（adjR,adjG,adjB）を決定する。
【００８２】
（変形例９）
上記変形例３、変形例４、変形例５、変形例７および変形例８用の基準画像データをそれぞれ基準画像格納部１２に格納しておき、操作入力部２からの選択操作信号に応じて切替え可能に構成してもよい。
【００８３】
以上の説明はあくまで一例であり、上記の実施形態の構成に何ら限定されるものではない。
【図面の簡単な説明】
【００８４】
【図１】本発明の一実施の形態による電子カメラシステムを説明する図である。
【図２】電子カメラの構成を説明するブロック図である。
【図３】メイン処理の流れを説明するフローチャートである。
【図４】外部モニタ表示処理の詳細を説明するフローチャートである。
【図５】色バランス調整値算出処理の詳細を説明するフローチャートである。
【図６】色バランス調整処理の詳細を説明するフローチャートである。
【図７】(a)〜(c)はモニタ種類設定部を説明するのメニュー画面を例示する図である。
【図８】(a)〜(c)は無彩色画像を例示する図である。
【図９】(a)はフォーカス調節用チャートを含む無彩色画像、(b)はアスペクト比検出用チャートを含む無彩色画像、(c)はカラーチャートを含む画像を例示する図である。
【符号の説明】
【００８５】
１…情報管理部
２…操作入力部
３…モニタ種類設定部
４…警告表示部
５…撮影制御部
６…撮影レンズ
９…撮像素子
１２…基準画像格納部
１３…色バランス調整部
１４…色調整限界値記憶部
１５…色調整初期値記憶部
１６…内蔵表示モニタ
１７…外部モニタ出力部
１０…画像処理部
１００…電子カメラ
２００…外部モニタ
【図１】
2007281797.tif 000003
【図２】
2007281797.tif 000004
【図３】
2007281797.tif 000005
【図４】
2007281797.tif 000006
【図５】
2007281797.tif 000007
【図６】
2007281797.tif 000008
【図７】
2007281797.tif 000009
【図８】
2007281797.tif 000010
【図９】
2007281797.tif 000011